(57)【要約】  【課題】  画像処理装置における所定の処理に関するカウンタ値の管理における処理負担の軽減を実現することのできる技術を提供する。  【解決手段】  管理対象である画像処理装置における所定の処理に関するカウンタ値を所定のタイミングで取得するカウンタ情報取得部１０１と、カウンタ情報取得部１０１にて取得されるカウンタ値の所定時間単位毎の増加分を演算する増加分演算部１０２と、増加分演算部１０２にて演算された増加分を記憶する記憶部１０３とを有する。  【選択図】  図２
2006301707.tif 000002
【特許請求の範囲】
【請求項１】
管理対象である画像処理装置における所定の処理に関するカウンタ値を所定のタイミングで取得するカウンタ情報取得部と、
前記カウンタ情報取得部にて取得されるカウンタ値の所定時間単位毎の増加分を演算する増加分演算部と、
前記増加分演算部にて演算された前記増加分を記憶する記憶部と
を有するデータ管理装置。
【請求項２】
請求項１に記載のデータ管理装置において、
前記記憶部にて記憶された前記増加分に関する情報を表示させる表示制御部を有し、
前記増加分演算部は、少なくとも前記表示制御部にて前記増加分に関する情報を表示させる所定のカウンタ値について前記増加分の演算を行うデータ管理装置。
【請求項３】
管理対象である画像処理装置における所定の処理に関するカウンタ値を所定のタイミングで取得するカウンタ情報取得ステップと、
前記カウンタ情報取得ステップにて取得されるカウンタ値の所定時間単位毎の増加分を演算する増加分演算ステップと、
前記増加分演算ステップにて演算された前記増加分を記憶する記憶ステップと
をコンピュータに実行させるデータ管理プログラム。
【請求項４】
請求項３に記載のデータ管理プログラムにおいて、
前記記憶ステップにて記憶された前記増加分に関する情報を表示させる表示制御ステップを有し、
前記増加分演算ステップは、少なくとも前記表示制御ステップにて前記増加分に関する情報を表示させる所定のカウンタ値について前記増加分の演算を行うデータ管理プログラム。
【発明の詳細な説明】
【技術分野】
【０００１】
本発明は、データ管理装置およびデータ管理プログラムに関するものである。
【背景技術】
【０００２】
従来、画像処理装置等のネットワーク端末の状態をネットワーク経由で管理する技術が知られる（例えば、特許文献１参照。）。このようにして管理される画像処理装置における所定の処理（印刷、コピー、スキャンなど）に関するカウンタ値の月毎の増加分（各月における印刷枚数）や年毎の増加分（各年における印刷枚数）等に基づく各種処理（例えばこれらカウンタ値の増加分に関する情報の画面表示など）を行う場合、画像処理装置におけるカウンタ値を随時取得して記憶領域に蓄積してゆき、当該表示処理を行う毎に各種処理の対象となるカウンタ値の増加分を演算していた。
【特許文献１】特開平１１−３５３１４５号公報
【発明の開示】
【発明が解決しようとする課題】
【０００３】
しかし、管理対象となる画像処理装置の台数の増加や、年月の経過に伴って、記憶領域に蓄積されるカウンタ値のデータ数が増加してゆくと、上記画面表示等の各種処理を行う際に行われるカウンタ値の増加分の演算処理の処理負荷も増大してゆく。特に画面表示を行う場合などは、膨大なレコード数のカウンタ値に基づく演算を短時間で行わなければならず、画像処理装置の管理における処理負担の軽減の妨げとなっていた。
【０００４】
本発明は上述した問題点を解決するためになされたものであり、画像処理装置における所定の処理に関するカウンタ値の管理における処理負担の軽減を実現することのできる技術を提供することを目的とする。
【課題を解決するための手段】
【０００５】
上述した課題を解決するため、本発明に係るデータ管理装置は、管理対象である画像処理装置における所定の処理に関するカウンタ値を所定のタイミングで取得するカウンタ情報取得部と、前記カウンタ情報取得部にて取得されるカウンタ値の所定時間単位毎の増加分を演算する増加分演算部と、前記増加分演算部にて演算された前記増加分を記憶する記憶部とを有することを特徴とするものである。
【０００６】
また、本発明に係るデータ管理プログラムは、管理対象である画像処理装置における所定の処理に関するカウンタ値を所定のタイミングで取得するカウンタ情報取得ステップと、前記カウンタ情報取得ステップにて取得されるカウンタ値の所定時間単位毎の増加分を演算する増加分演算ステップと、前記増加分演算ステップにて演算された前記増加分を記憶する記憶ステップとをコンピュータに実行させることを特徴とするものである。
【発明の効果】
【０００７】
以上に詳述したように本発明によれば、画像処理装置における所定の処理に関するカウンタ値の管理における処理負担の軽減を実現することのできる技術を提供することができる。
【発明を実施するための最良の形態】
【０００８】
以下、本発明の実施の形態について図面を参照しつつ説明する。
【０００９】
図１は、本発明の実施の形態によるデータ管理装置について説明するためのシステム構成図である。同図に示すように、本実施の形態によるデータ管理装置１は、ＬＡＮ等の電気通信回線を介して、複数のネットワーク端末としての画像処理装置（例えば、ＭＦＰ（Multi Function Peripheral）２０１、ＭＦＰ２０２およびプリンタ２０３等）と通信可能に接続されている。ここで、ネットワーク端末管理装置１は当該ネットワークにおけるサーバとしての役割を有している。それぞれのネットワーク端末では、各端末で行われる所定の処理（カラー印刷、モノクロ印刷、両面印刷、ＦＡＸ送信、スキャン）における処理枚数等を示すカウント値を保持しており、当該カウント値をデータ管理装置１に対して送信可能となっている。
【００１０】
また、データ管理装置１は、キーボード、マウス、タッチパネルディスプレイ等から構成される不図示の操作入力部と、同装置における処理結果を画面表示するための不図示の表示部を有している。
【００１１】
図２は、本実施の形態によるデータ管理装置について説明するための機能ブロック図である。本実施の形態によるデータ管理装置１は、カウンタ情報取得部１０１、増加分演算部１０２、記憶部１０３、表示制御部１０４、ＣＰＵ１０５およびメモリ１０６を備えてなる構成となっている。
【００１２】
カウンタ情報取得部１０１は、管理対象である画像処理装置における所定の処理に関するカウンタ値を所定のタイミングで取得する役割を有している。
【００１３】
増加分演算部１０２は、カウンタ情報取得部１０１にて取得されるカウンタ値の所定時間単位毎の増加分を演算する役割を有している。
【００１４】
記憶部１０３は、例えばＨＤＤ等から構成され、増加分演算部１０２にて演算された増加分を記憶する役割を有している。なお、本実施の形態では記憶部１０３によって記憶するデータの格納領域がデータ管理装置１内部に配置される例を示しているが、これに限られるものではなく、データ管理装置１と通信可能に接続された外部機器内に配置する構成とすることもできる。
【００１５】
表示制御部１０４は、記憶部１０３にて記憶された増加分に関する情報を画面表示させる役割を有している。なお、増加分演算部１０２では、少なくとも表示制御部１０４にて増加分に関する情報を表示させる所定のカウンタ値について増加分の演算を行うようになっている。
【００１６】
ＣＰＵ１０５は、データ管理装置における各種処理を行う役割を有しており、またメモリ１０６に格納されているプログラムを実行することにより種々の機能を実現する役割も有している。メモリ１０６は、例えばＲＯＭやＲＡＭ等から構成されており、データ管理装置において利用される種々の情報やプログラムを格納する役割を有している。
【００１７】
図３は、本実施の形態によるデータ管理装置における処理の流れについて説明するためのフローチャートである。
【００１８】
カウンタ情報取得部１０１は、管理対象である画像処理装置（ＭＦＰやプリンタ等）における所定の処理（ここでは、プリント処理、コピー処理、ＦＡＸ送信処理、スキャン処理）に関するそれぞれのカウンタ値を所定のタイミングで取得する（カウンタ情報取得ステップ）（Ｓ１０１）。ここで、所定のタイミングとは、例えば日締め処理を行うべき所定の時刻になったとき等を意味する。もちろん、データ管理装置１に対する外部入力（ユーザの操作入力や外部機器からの命令など）に基づいて当該カウンタ値を取得するようにすることもできる。
【００１９】
図４は、記憶部１０３におけるカウンタ値等の記憶方法について説明するための図である。上述のようにして取得された各カウンタ値は、図４に示す累積データベースにカウンタ値の種別（プリント、コピーなど）やカウンタ値を取得してきた装置に応じて振り分けて格納される。当該累積データベースには、１月から１２月までの１年分の一日毎の累積値が格納されるようになっている（Ｓ１０２）。
【００２０】
続いて、増加分演算部１０２は、カウンタ情報取得ステップ（Ｓ１０１）にて取得される当日のカウンタ値と、前日のカウンタ値との差（前日からのカウンタ値の増加分）を演算する（増加分演算ステップ）。このようにして求められた増加分の値は、それぞれのカウンタ値の種別に応じて記憶部１０３に設けられている増加分ＤＢに格納される（Ｓ１０３）。従来、上述のようにして取得されるカウンタ値は、その種別や機種に拘わらずまとめてデータベースに格納されていたため、当該データベースに格納するデータ量が多くなってくると、データへのアクセス速度などの処理速度が遅くなる問題や、アプリケーション側で管理可能なデータ容量の制限の問題が生じていた。本実施の形態のように、それぞれのカウンタ値の種別に応じて格納し管理する構成とすることにより、データへのアクセス速度、検索速度等の向上を図ることができ、アプリケーション側のデータ容量の制限値を越えるようなことも起こりにくい。
【００２１】
次に、上述の日締め処理を行った日が、所定の月締め日であった場合（Ｓ１０４，Ｙｅｓ）、当該月締め処理の対象となる月におけるトータルのカウンタ値と、前月の月締め日におけるカウンタ値と当該月の月締め日におけるカウンタ値との差分とを算出する（Ｓ１０５）。これら算出された値は、図４に示す月集計ＤＢに種別毎に格納される。
【００２２】
このように、増加分演算部１０２は、カウンタ情報取得ステップ（Ｓ１０１）にて取得されるカウンタ値の所定時間単位毎の増加分を演算する（増加分演算ステップ）。ここでの所定時間単位とは、「年」、「月」、「日」等の単位を意味している。すなわち、カウンタ値の所定時間単位毎の増加分とは、１年でどの程度カウンタ値が増加したか、１月でどの程度カウンタ値が増加したか、１日でどの程度カウンタ値が増加したか、といった内容に相当する。
【００２３】
また、上述のように、記憶部１０３では、増加分演算部１０２にて演算されたカウンタ値の増加分を記憶する役割を有している（記憶ステップ）。そして、上述の記憶ステップにて記憶部１０３に記憶されたカウンタ値の増加分に関する情報をデータ管理装置１における不図示の表示部にて画面表示させる（表示制御ステップ）。上述の表示制御部１０４による画面表示を行う際には、日別表示の際にはカウンタ値の増加分が日別に格納されている増加分データベースにおける指定された月度のデータについての表示を行い、月別表示の際にはカウンタ値の増加分が月別に格納されている月集計データベースに格納されているデータの表示を行う。
【００２４】
なお、当該画面表示は、必ずしもデータ管理装置１における不図示の表示部にて行われるものでなくともよく、例えばデータ管理装置１と通信可能に接続された外部機器における表示部にて表示させる構成とすることもできる。
【００２５】
また、増加分演算部１０２では、少なくとも上述の表示制御ステップにてカウンタ値の増加分に関する情報を画面表示させる所定のカウンタ値（例えば、グラフ表示されるカウンタ値など）について増加分の演算を行うようになっている（増加分演算ステップ）。このように、増加分に関する情報が画面表示されるカウンタ値についての増加分の演算を、当該画面表示処理に先立って予め行っておくことにより、画面表示処理を行う際における演算処理の負荷の軽減を図ることが可能となる。
【００２６】
上述したデータ管理装置での処理における各ステップ（Ｓ１０１〜Ｓ１０５）は、メモリ１０６に格納されたデータ管理プログラムをＣＰＵ１０５に実行させることにより実現されるものである。
【００２７】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００２８】
なお、本実施の形態では、データ管理装置１が管理対象である画像処理装置が配置されたＬＡＮ内に配置されている例を示したが、これに限られるものではなく、データ管理装置１にてこれら管理対象である画像処理装置のカウンタ値を取得できるような構成であればよい。例えば、データ管理装置１を画像処理装置が配置されたＬＡＮの外に配置し、当該ＬＡＮとデータ管理装置１とをインターネット等の電気通信回線によって通信可能に接続する構成とすることもできる。
【００２９】
本発明を特定の態様により詳細に説明したが、本発明の精神および範囲を逸脱しないかぎり、様々な変更および改質がなされ得ることは、当業者には自明であろう。
【図面の簡単な説明】
【００３０】
【図１】本発明の実施の形態によるデータ管理装置について説明するためのシステム構成図である。
【図２】本実施の形態によるデータ管理装置について説明するための機能ブロック図である。
【図３】本実施の形態によるデータ管理装置における処理の流れについて説明するためのフローチャートである。
【図４】本実施の形態におけるカウンタ情報等の記憶方法について説明するための図である。
【符号の説明】
【００３１】
１０１  カウンタ情報取得部、１０２   増加分演算部、１０３  記憶部、１０４  表示制御部、１０５  ＣＰＵ、１０６  メモリ。
【図１】
2006301707.tif 000003
【図２】
2006301707.tif 000004
【図３】
2006301707.tif 000005
【図４】
2006301707.tif 000006